(57)【要約】【課題】ガス絶縁開閉装置を大型化することなく、簡単な構成で他の構成要素を連結することができるようにしたガス絶縁断路装置を提供する。【解決手段】十字状密閉容器１内の中間部に固定接続導体１３を絶縁支持物１５ａ，１５ｄによって固定し、十字状密閉容器１の４つの連結部１ａ〜１ｄ近傍に位置した固定接続導体１３に４つの断路器の固定接触部１２ａ〜１２ｄをそれぞれ固定し、この固定接触部１２ａ〜１２ｄに対応して開閉可能な可動接触部１１ａ〜１１ｄをそれぞれ設けて４つの断路器である接地装置付断路器２６ａ〜２６ｄを構成し、各断路器の可動接触部１１ａ〜１１ｄを開閉操作する操作器を十字状密閉容器１の外部に配置した。【選択図】図１
2010193543.tif 000002
【特許請求の範囲】
【請求項１】
絶縁性ガスを封入した密閉容器内に、固定接触部と、この固定接触部に対して開閉可能な可動接触部とを有する断路器を構成し、前記密閉容器の外部に配置した操作によって前記可動接触部を開閉駆動するように構成したガス絶縁断路装置において、前記密閉容器は４方向に連結部をそれぞれ形成した十字状密閉容器とし、この十字状密閉容器の内部中央部に前記十字状密閉容器から電気的に絶縁した状態で固定接続導体を配置し、前記各連結部の近傍に位置する部分の前記固定接続導体にそれぞれ前記固定接触部を設けると共に、前記各固定接触部に対して開閉可能な前記各可動接触部を配置して４つの断路器を構成し、前記密閉容器の外部に各断路器の前記各可動接触部をそれぞれ開閉駆動する４つの前記操作器を配置したことを特徴とするガス絶縁断路装置。
【発明の詳細な説明】
【技術分野】
【０００１】
本発明は、発電所や変電所等において使用されるガス絶縁開閉装置におけるガス絶縁断路装置に関するものである。
【背景技術】
【０００２】
一般に、発電所や変電所等の電気所では、ＳＦ６ガスやその他の絶縁性ガスを密閉容器内に封入し、さらに絶縁スペーサ等を利用して密閉容器内をガス的に区分すると共に、主回路を形成する高電圧導体を密閉容器から電気的に絶縁した状態で支持して構成したガス絶縁開閉装置が用いられている。このガス絶縁開閉装置では、事故部分あるいは点検部分を主回路から切り離すために開路する断路器や、この断路器により切り離した部分を接地する接地開閉器などを有しており、これらの断路器および接地開閉器を共通の密閉容器内に構成したガス絶縁断路装置が知られている。例えば、従来のガス絶縁断路装置として、軸方向に直線的に延びた主体部分に対して直角方向に分岐した分岐部を有した密閉容器を形成し、これら分岐部を他の構成要素との接続のために用いるようにしたものが知られている（例えば、特許文献１を参照）。
【０００３】
一方、ガス絶縁開閉装置には、計器用変成器（以下、ＶＣＴと称する）や、接地形計器用変圧器（以下、ＥＶＴと称する）や、隣接する回線との間を接続する接続母線や、変圧器（以下、ＴＲと称する）等の様々な構成要素を接続することがある。
【０００４】
【特許文献１】特開平８−２２３７１７号公報
【発明の概要】
【発明が解決しようとする課題】
【０００５】
しかしながら、従来のガス絶縁開閉装置では、ガス絶縁断路装置によって主回路導体から切り離し可能に接続する構成要素が増えた場合についての十分な配慮がなされていなかった。つまり、従来のガス絶縁断路器で使用している密閉容器では、追加する構成要素が増加した場合、その連結部が限られているために構成要素の数に対応させて上述した密閉容器を複数連結しなければならなかった。例えば、ＶＣＴ、ＥＶＴ、共通母線、ＴＲの構成要素をそれぞれ断路器を介して接続する場合、これら構成要素毎に上述したガス絶縁断路装置を接続しなければならず、同接続部の構成が複雑で大型化してしまう。
【０００６】
本発明の目的は、ガス絶縁開閉装置を大型化することなく、簡単な構成で他の構成要素を連結することができるようにしたガス絶縁断路装置を提供することにある。
【課題を解決するための手段】
【０００７】
本発明は上記の目的を達成するために、絶縁性ガスを封入した密閉容器内に、固定接触部と、この固定接触部に対して開閉可能な可動接触部とを有する断路器を構成し、前記密閉容器の外部に配置した操作によって前記可動接触部を開閉駆動するように構成したガス絶縁断路装置において、前記密閉容器は４方向に連結部をそれぞれ形成した十字状密閉容器とし、この十字状密閉容器の内部中央部に前記十字状密閉容器から電気的に絶縁した状態で固定接続導体を配置し、前記各連結部の近傍に位置する部分の前記固定接続導体にそれぞれ前記固定接触部を設けると共に、前記各固定接触部に対して開閉可能な前記各可動接触部を配置して４つの断路器を構成し、前記密閉容器の外部に各断路器の前記各可動接触部をそれぞれ開閉駆動する４つの前記操作器を配置したことを特徴とする。
【発明の効果】
【０００８】
本発明のガス絶縁断路装置によれば、近接して４台の操作器が配置されることになるが、十字状密閉容器における四方向に形成した各連結部の近傍にそれぞれ断路器を構成しているため、十字状密閉容器内の中央部に各可動接触部を配置して構成した場合のように各操作器を互いに干渉するほど近接させることもなく、各断路器間には適度の間隔が得られ、これによって各操作器を適度に分散しながら、十字状密閉容器の十字状の形状の特徴を生かして、その外周部の残余空間に各操作器を配置することができるので、ガス絶縁断路装置全体を小型に構成することができる。また固定接続導体の構成を簡単に、またその支持構成も簡単になる。
【図面の簡単な説明】
【０００９】
【図１】図１は、本発明の一実施の形態によるガス絶縁断路装置を示す断面図である。
【図２】図２は、図１に示したガス絶縁断路装置の要部拡大図である。
【図３】図３は、図２に示したガス絶縁断路装置の側面図である。
【図４】図４は、図１に示したガス絶縁断路装置を使用したガス絶縁開閉装置の正面図である。
【図５】図５は、図４に示したガス絶縁開閉装置の平面図である。
【発明を実施するための形態】
【００１０】
以下、本発明の実施の形態を図面に基づいて説明する。
【実施例１】
【００１１】
図１は、本発明によるガス絶縁断路装置の一実施例を示す断面図である。
このガス絶縁断路装置は略十字状密閉容器１内に構成したもので、十字状密閉容器１は、水平方向に延びた主体部７の軸方向両端にフランジによって形成した連結部１ａ，１ｄと、この主体部７の軸方向中間部で上下方向に延びた分岐部８，９の端部にそれぞれフランジによって形成した連結部１ｂ，１ｃとを有している。
【００１２】
十字状密閉容器３ａの主体部７の左方側に形成した連結部１ａには、絶縁スペーサ２１ａを介して他の構成要素の密閉容器１ａが連結され、十字状密閉容器３ａの上部に位置した分岐部８の連結部１ｂには、絶縁スペーサ２１ｂを介して他の構成要素の密閉容器４ａが連結され、また十字状密閉容器３ａの下方に位置した分岐部９の連結部１ｃには、絶縁スペーサ２１ｃを介して他の構成要素の密閉容器５ａが連結され、さらに十字状密閉容器３ａの主体部分７における右方側の連結部１ｄには、絶縁スペーサ２１ｄを介して他の構成要素の密閉容器６ａが連結されている。このように十字状密閉容器１の４方向に形成した４つの連結部１ａ〜１ｄには、詳細を後述する４つの他の構成要素が連結され、各連結部１ａ〜１ｄに設けた各絶縁スペーサ２１ａ〜２１ｄによって十字状密閉容器３ａ内のガス空間を他から区分している。
【００１３】
このような十字状密閉容器１の内部には、各連結部１ａ〜１ｄ近傍に位置してそれぞれ詳細を後述する断路器２６ａ，２６ｂ，２６ｃ，２６ｄが構成されている。これらの断路器２６ａ〜２６ｄは、共通の十字状密閉容器１内に三相分が構成された三相一括型であるが、各相はほぼ同一構造であるため以下は一相分について詳細に説明する。
【００１４】
十字状密閉容器３ａを構成する主体部７と分岐部８，９が交差する中心部内には、ほぼ十字状の固定接続導体１３が配置されている。この固定接続導体１３は、主体部７に沿って延びた部分と、分岐部８，９に対応した位置でほぼ直角方向に分岐した分岐部２２ｂ，２２ｃとによってほぼ十字状に構成されている。また、この固定接続導体１３は、十字状密閉容器３ａの内壁部に固定したプレート１４ａ，１４ｄへ一端部を固定した複数の絶縁支持物１５ａ，１５ｄを用いて、十字状密閉容器３ａから電気的に絶縁した状態で支持固定している。この固定接続導体１３の左方側端部と絶縁スペーサ２１ａ間には接地装置付断路器２６ａを構成し、固定接続導体１３における分岐部２２ｂの上方側端部と絶縁スペーサ２１ｂ間には接地装置付断路器２６ｂを構成し、また固定接続導体１３における分岐部２２ｃの下方側端部と絶縁スペーサ２１ｃ間には接地装置付断路器２６ｃを構成し、さらに固定接続導体１３の右方側端部と絶縁スペーサ２１ｄ間には接地装置付断路器２６ｄを構成している。
【００１５】
次に、上述した接地装置付断路器２６ａの構成について説明する。
絶縁スペーサ２１ａの中心導体には接続導体１０ａが固定されており、この接続導体１０ａには可動接触部１１ａの基部側が可回転的に連結されている。可動接触部１１ａの自由端側には固定接触部１２ａが対向配置され、この固定接触部１２ａは上述した固定接続導体１３に固定されている。また詳細を後述するように可動接触部１１ａには絶縁ロッド１６ａを介して操作器２０ａが連結され、この操作器２０ａによって可動接触部１１ａが固定接触部１２ａに対して開閉駆動されると共に、可動接触部１１ａを断路位置からさらに接地位置まで駆動したとき可動接触部１１ａと接触する接地固定接触子１７ａが設けられている。この接地固定接触子１７ａは絶縁端子１９ａによって十字状密閉容器３ａから電気的に絶縁した状態で導出されている。
【００１６】
上述した接地装置付断路器２６ｄも同様に構成されている。
絶縁スペーサ２１ｄの中心導体には接続導体１０ｄが固定されており、この接続導体１０ｄには可動接触部１１ｄの基部側が可回転的に連結されている。可動接触部１１ｄの自由端側には固定接触部１２ｄが対向配置され、この固定接触部１２ｄは固定接続導体１３に固定されている。また詳細を後述するように可動接触部１１ｄには絶縁ロッド１６ｄを介して操作器２０ｄが連結され、この操作器２０ｄによって可動接触部１１ｄが固定接触部１２ｄに対して開閉駆動されると共に、可動接触部１１ｄを断路位置からさらに接地位置まで駆動したときに可動接触部１１ｄと接触する接地固定接触子１７ｄが設けられている。接地固定接触子１７ｄは絶縁端子１９ｄによって十字状密閉容器３ａから電気的に絶縁した状態で導出されている。
【００１７】
また、上述した接地装置付断路器２６ｃの構成についてみると、上述した絶縁スペーサ２１ｃの中心導体には接続導体１０ｃが固定されており、この接続導体１０ｃには可動接触部１１ｃの基部側が可回転的に連結され、可動接触部１１ｃの自由端側には固定接触部１２ｃが対向配置され、この固定接触部１２ｃは分岐部２２ｃを介して固定接続導体１３に固定されている。また詳細は後述するように可動接触部１１ｃには絶縁ロッド１６ｃを介して操作器２０ｃが連結され、この操作器２０ｃによって可動接触部１１ｃが固定接触部１２ｃに対して開閉駆動されると共に、可動接触部１１ｃを断路位置からさらに接地位置まで駆動したとき可動接触部１１ｃと接触する接地固定接触子１７ｃが設けられている。この接地固定接触子１７ｃも絶縁端子１９ｃによって十字状密閉容器３ａから電気的に絶縁した状態で導出されている。
【００１８】
さらに上述した接地装置付断路器２６ｄも同様であり、上述した絶縁スペーサ２１ｂの中心導体には接続導体１０ｂが固定されており、この接続導体１０ｂには可動接触部１１ｂの基部側が可回転的に連結され、可動接触部１１ｂの自由端側には固定接触部１２ｂが対向配置され、この固定接触部１２ｂは分岐部２２ｂを介して固定接続導体１３に固定されている。また詳細は後述するように可動接触部１１ｂには絶縁ロッド１６ｂを介して操作器２０ｂが連結され、この操作器２０ｂによって可動接触部１１ｂが固定接触部１２ｂに対して開閉駆動されると共に、可動接触部１１ｂを断路位置からさらに接地位置まで駆動したとき可動接触部１１ｂと接触する接地固定接触子１７ｂが設けられている。この接地固定接触子１７ｂは絶縁端子１９ｂによって十字状密閉容器３ａから電気的に絶縁した状態で導出されている。
【００１９】
接地装置付断路器２６ａ，２６ｄでは、三相の固定接続導体１３が水平面に並置されているため一相分のみが表示されているのに対して、接地装置付断路器２６ｂ，２６ｃでは並置方向が異なり三相分が表示されていることを考慮すると、上述の説明からも分かるように各接地装置付断路器２６ａ〜２６ｄは、開閉動作方向はそれぞれ異なるが、全体的な基本構成はほぼ同様である。さらに各接地装置付断路器２６ａ〜２６ｄにおける操作系の構成について説明する。
【００２０】
十字状密閉容器３ａの外部に配置した操作器２０ｄｂ，２０ｃにはリンク２５ｂ，２５ｃの一端が連結され、リンク２５ｂ，２５ｃの他端には操作器２０ｄｂ，２０ｃからの操作力を受けて回転する回転軸２４ｂ，２４ｃが機械的に連結されている。詳細な図示を省略しているが、操作器２０ａ，２０ｄも同様の構成であり、それぞれ同様の回転軸２４ａ，２４ｄを有しており、この回転軸２４ａ，２４ｄを回転させることによって絶縁ロッド１６ａ，１６ｂを介して可動接触部１１ａ，１１ｄを回動させ、固定接触部１２ａ，１２ｄから可動接触部１１ａ，１１ｄを開路することができるように構成されている。
【００２１】
図２は、接地装置付断路器２６ｄを代表して拡大表示しており、図３は、図２のＡ−Ａ線に沿った断面図であり、これら両図を用いてさらに操作系の構成について説明する。
十字状密閉容器３ａの側壁には気密保持部材１８ｄが設けられ、この気密保持部材１８ｄによって気密を保持しながら十字状密閉容器３ａ外から内部に回転軸２４ｄが挿入され、この回転軸２４ｄの挿入側端は軸受２７ｄによって可回転的に保持されている。回転軸２４ｄには絶縁ロッド１６ｄを介して可動接触部１１ｄの中間部が連結されており、回転軸２４ｄの回転に伴って可動接触部１１ｄは接続導体１０ｄとの連結部を中心として回動する。しかも、可動接触部１１ｄは操作器１０ｄによって３位置をとるように構成されている。つまり、実線で示したように可動接触部１１ｄが固定接触部１２ｄと接触した断路器の閉路位置と、一点鎖線で示したように可動接触部１１ｄが固定接触部１２から開離した断路器の断路位置と、点線で示したように可動接触部１１ｄが固定接触部１２から開離すると共に接地固定接触子１７ｄと接触した接地開閉器の接地位置とをとることができる。こうして、各接地装置付断路器２６ａ〜２６ｄは、断路器と接地開閉器とを一体的に構成したものであることが分かる。
【００２２】
また三相一括構成については前述したが、図３は示したように回転軸２４ｄには、その軸方向にずらして三相分の絶縁ロッド１６ｄの一端が連結され、各絶縁ロッド１６ｄの他端が三相分の可動接触部１１ｄにそれぞれ連結されている。従って、操作器２０ｄによって回転軸２４ｄを回転駆動すると、三相分の可動接触部１１ｄが同時に開閉駆動されて三相一括型として動作する。このような三相一括型の構成は、他の各接地装置付断路器２６ａ〜２６ｃについても同様である。
【００２３】
ところで、一つの十字状密閉容器１内に４つの接地装置付断路器２６ａ〜２６ｄを構成すると、比較的大きな４つの操作器２０ａ〜２０ｄの配置を考慮する必要がある。しかし、ここで各操作器２０ａ〜２０ｄは、十字状密閉容器３ａの外部に適度に分散して配置することができる。例えば、操作器２０ｂおよび操作器２０ｃは図示のように分岐部８，９の側方部に配置し、また操作器２０ａと操作器２０ｄは詳細な図示を省略したが操作器２０ｂおよび操作器２０ｃと干渉しないように主体部７の側方部にそれぞれ配置することができるが、その他の位置に配置しても良い。いずれにしても、近接して４台の操作器２０ａ〜２０ｄが配置されることになるが、十字状密閉容器１における四方向に形成した各連結部１ａ〜１ｄの近傍にそれぞれ接地装置付断路器２６ａ〜２６ｄを構成しているため、各接地装置付断路器２６ａ〜２６ｄ間には適度の間隔が得られ、これによって各操作器２０ａ〜２０ｄを適度に分散して配置することができる。しかも、十字状密閉容器１の十字状の形状の特徴を生かして、その外周部の残余空間に各操作器２０ａ〜２０ｄを配置することができるので、ガス絶縁断路装置全体を小型に構成することができる。
【００２４】
またガス絶縁断路器を構成するに際して、十字状密閉容器１内の中間部に固定接続導体１３を絶縁支持物１５ａ，１５ｄによって固定し、この固定接続導体１３の所定位置に４つの各断路器の固定接触部１２ａ〜１２ｄをそれぞれ固定して接地装置付断路器２６ａ〜２６ｄを構成しているため、固定接続導体１３の構成を簡単に、またその支持構成も簡単になる。このとき、十字状密閉容器１内の中央部に固定接続導体１３を配置しているため、十字状密閉容器１内の中央部に可動接触部１１ａ〜１１ｄを集中的に配置構成した場合に比べて、４つの接地装置付断路器２６ａ〜２６ｄを十字状密閉容器１の中心部から多少離して配置することができるようになる。これによって、各接地装置付断路器２６ａ〜２６ｄの各操作器２０ａ〜２０ｄを互いに干渉するほど近接させることもなく配置することが可能になる。
【００２５】
しかも、各接地装置付断路器２６ａ〜２６ｄは、開閉方向は異なるものの基本的な構成をほぼ同じにすることができるので、安価なガス絶縁断路装置とすることができる。また、この実施の形態では、可動接触部１１ａ〜１１ｄが固定接触部１２ａ〜１２ｄから開離した断路器の断路位置よりもさらに動作した時、可動接触部１１ａ〜１１ｄが接地固定接触子１７ａ〜１７ｄと接触するように断路器と接地開閉器とを一体的に構成した接地装置付断路器２６ａ〜２６ｄを使用しているため、断路器および接地開閉器のための操作器の数はこれらを別個に構成した場合に比べて少なくなり、その結果、十字状密閉容器１の大きさを抑えることができる。
【００２６】
次に、上述したガス絶縁断路装置を用いて構成したガス絶縁開閉装置について説明する。図４および図５は、ガス絶縁開閉器の正面図および平面図である。
このガス絶縁開閉器は、一回線を構成するもので、特に図４から分かるように遮断器などの受電側に、ＶＣＴ２、ＥＶＴ４、他の回線に接続する接続母線５、ＴＲ６が他の構成要素として連結された場合を示している。ＶＣＴ２は付設面に固定されており、このＶＣＴ２を遮断器などの受電側に接続するために往復導体ユニット３を用いている。往復導体ユニット３内には、遮断器などの受電側における主回路導体を一端下方に引き込み、ＶＣＴ２に接続した後に再び立ち上げて主回路導体を同様のレベルに配置している。その後、遮断器などの受電側の主回路導体には、それぞれ断路器を介して主回路導体から切り離し可能にＥＶＴ４、接続母線５、ＴＲ６が他の構成要素として連結されている。
【００２７】
そこで、往復導体ユニット３にガス絶縁断路装置２８を接続している。このガス絶縁断路装置２８は図１に示したものであり、その十字状密閉容器１には４つの連結部１ａ〜１ｄが形成されているので、往復導体ユニット３の密閉容器３ａに連結部１ａを耐気密接続する。すると、十字状密閉容器１には３つの連結部１ｂ〜１ｄが残るので、これを利用して連結部１ｂにＥＶＴ４を連結し、連結部１ｃには接続母線５を、さらに連結部１ｄにはＴＲ６を連結している。上述したようにガス絶縁断路装置２８は、水平方向に延びた主体部７の軸方向中間部で上下方向にそれぞれ分岐した分岐部８，９を形成した十字状の密閉容器３ａを使用しているため、主体部７の軸方向に大型化することなく、また分岐部８，９の軸方向に大型化することなく、ＥＶＴ４、接続母線５、ＴＲ６である他の構成要素との３つの連結部を容易に得ることができる。
【００２８】
しかも、ガス絶縁断路装置２８の十字状密閉容器３ａ内に各連結部１ａ〜１ｄに対応する位置にそれぞれ接地装置付断路器２６ａ〜２６ｄを構成しているため、ＶＴ４、共通母線５およびＴＲ６は接地装置付断路器２６ａ〜２６ｄによってそれぞれ切り離し可能に構成されたことになる。
【００２９】
例えば、上述したガス絶縁開閉装置において、ＶＣＴ２を他の部分から切り離す場合、接地装置付断路器２６ａの開路操作を行う。具体的には操作器２０ａを駆動し、リンク２５ａを介して回転軸２４ａを回転する。回転軸２４ａの回転駆動により、この回転軸２４ａに連結した絶縁ロッド１６ａを介して可動接触部１１ａを固定接触部１０ａから切り離して断路器断路位置まで駆動し、その後、可動接触部１１ａを接地固定接触子１７ａに接触して接地開閉器の接地状態とする。従って、ＶＣＴ２の主回路導体を接地して点検などを行うことができる。
【００３０】
また上述したガス絶縁開閉装置において、ＥＶＴ４を他の部分から切り離す場合、接地装置付断路器２６ｂの開路操作を行う。具体的には操作器２０ｂを駆動して、リンク２５ｂを介して回転軸２４ｂを回転する。回転軸２４ｂの回転駆動により、この回転軸２４ｂに連結した絶縁ロッド１６ｂを介して可動接触部１１ｂを固定接触部１０ｂから切り離して断路器断路位置まで駆動し、その後、可動接触部１１ｂを接地固定接触子１７ｂに接触して接地開閉器の接地状態となる。これによってＥＶＴ４の主回路導体は接地されて安全に点検を行うことができるようになる。
【００３１】
さらに共通母線５またはＴＲ６を他の部分から切り離す場合も同様であり、それぞれ接地装置付断路器２６ｃまたは接地装置付断路器２６ｄを開路操作して行う。
【００３２】
このようなガス絶縁開閉装置によれば、４つの連結部１ａ〜１ｄを有する十字状密閉容器１を使用したガス絶縁断路器２８を使用しているため、この１つの十字状密閉容器１によってＶＣＴ２、ＥＶＴ４、接続母線５およびＴＲ６である他の４つの構成要素との連結部を容易に得ることができる。しかも、１つの十字状密閉容器１の使用だけであり、同部の構成を単純に、また大型化することなく構成することができ、従来のように複数の密閉容器を接続して対応した場合に比べて構成の簡略化を図り、小型化によって付設面積を縮小することもできる。それでいて、４つの各操作器２０ａ〜２０ｄが比較的近傍に配置されているので、その保守点検も容易になる。
【実施例２】
【００３３】
上述した実施の形態におけるガス絶縁断路装置では、断路器と接地開閉器を一体的に構成し、可動接触部１１ａ〜１１ｄを固定接触部１０ａ〜１０ｄを開路して断路器を断路状態にした後、可動接触部１１ａ〜１１ｄを接地固定接触子１６ａ〜１６ｄに接触して接地開閉器の接地状態とするようにした接地装置付断路器２６ａ〜２６ｄを用いたが、他の実施の形態では別の構成を採ることができる。例えば、断路器は専用の操作器で開閉操作するようにし、一方、接地開閉器は別に専用操作器で開閉操作するように構成し、断路器は先の実施の形態の場合と同様に十字状密閉容器１の四方向連結部１ａ〜１ｄの近傍にそれぞれ構成するが、接地開閉器はそれぞれ都合の良い位置に構成しても良い。
【００３４】
この場合でも、十字状密閉容器１における四方向に形成した各連結部１ａ〜１ｄの近傍にそれぞれ断路器を構成する基本構成は同じであるから、各断路器間には適度の間隔が得られ、これによって各操作器２０ａ〜２０ｄを適度に分散して配置することができる。しかも、十字状密閉容器１の十字状の形状の特徴を生かして、その外周部の残余空間に各操作器２０ａ〜２０ｄを配置することができるので、ガス絶縁断路装置全体を小型に構成することができる。
【００３５】
また、ガス絶縁断路器を構成するに際して、十字状密閉容器１内の中間部に固定接続導体１３を絶縁支持物１５ａ，１５ｄによって固定し、この固定接続導体１３の所定位置に４つの各断路器の固定接触部１２ａ〜１２ｄをそれぞれ固定して断路器を構成する基本構成も同様であるから、固定接続導体１３の構成を簡単に、またその支持構成も簡単になる。このとき、十字状密閉容器１内の中間部に固定接続導体１３を配置しているため、十字状密閉容器１内の中間部に可動接触部１１ａ〜１１ｄを配置して構成した場合に比べて、４つの断路器を十字状密閉容器１の中心部から多少離して配置することができるようになる。これによって、断路器の各操作器２０ａ〜２０ｄを互いに干渉するよう近接させることもなく配置することが可能になる。
【産業上の利用可能性】
【００３６】
本発明のガス絶縁断路装置は、図４および図５に示したガス絶縁開閉装置の構成に限らず、他の構成のガス絶縁開閉装置にも適用することができる。例えば、十字状密閉容器１内に配置する固定接続導体１３や、固定接触部１０ａ〜１０ｄおよび可動接触部１１ａ〜１１ｄから成る断路器は三相一括型として示したが、相分離構成であっても良いし、また三相一括型でも各相導体を一つの平面上に並置するものに限らず、二等辺三角形の各頂点に各相導体を配置したものでも同様に本発明を適用することができる。
【符号の説明】
【００３７】
１    十字状密閉容器
１ａ〜１ｄ    連結部
２    計器用変成器
３    往復導体ユニット
４    計器用変圧器
５    接続母線
６    変圧器
７    主体部
８，９    分岐部
１０ａ〜１０ｄ    接続導体
１１ａ〜１１ｄ    可動接触部
１２ａ〜１２ｄ    固定接触部
１３    固定接続導体
１４ａ〜１４ｄ    プレート
１５ａ〜１５ｄ    絶縁支持物
１６ａ〜１６ｄ    絶縁ロッド
１７ａ〜１７ｄ    接地固定接触子
１８ａ〜１８ｄ    気密保持部材
１９ａ〜１９ｄ    絶縁端子
２０ａ〜２０ｄ    操作器
２１ａ〜２１ｄ    絶縁スペーサ
２２ａ，２２ｂ    分岐部
２４ａ〜２４ｄ    回転軸
２５ａ〜２５ｄ    リンク
２６ａ〜２６ｄ    接地装置付断路器
２８    ガス絶縁断路器
【図１】
2010193543.tif 000003
【図２】
2010193543.tif 000004
【図３】
2010193543.tif 000005
【図４】
2010193543.tif 000006
【図５】
2010193543.tif 000007